(57)【特許請求の範囲】
【請求項１】
歯形模型(4)が固定される固定プレート(2)と、この固定プレート(2)に一端を連結している複数本のダウエルピン(3)と、このダウエルピン(3)を介して脱着自在に連結されるプラスチック製の土台(1)とを備え、
前記固定プレート(2)は、長手方向に沿って所定の間隔でダウエルピン(3)を固定しており、
前記土台(1)は、固定プレート(2)に固定してなるダウエルピン(3)を抜き差しできる連結穴(5)を設けており、
前記ダウエルピン(3)が連結穴(5)に挿入されて、前記固定プレート(2)が前記土台(1)の定位置に連結されるようにしてなる歯科技工用作業模型であって、
前記土台(1)の側面に、ダウエルピン(3)の位置を示すピンマーク(15)を有すると共に、このピンマーク(15)の間に、前記固定プレート(2)に固定される歯形模型(4)を位置決めする位置決マーク(17)を設けると共に、位置決マーク(17)を隣接するピンマーク(15)の中央に位置して設けており、
さらに、この位置決マーク(17)をダウエルピン(3)の方向に伸びる凸条としてなることを特徴とする歯科技工用作業模型。
【請求項２】
前記位置決マーク(17)が土台(1)の対向する両側面に設けられてなる請求項１に記載される歯科技工用作業模型。
【請求項３】
前記ピンマーク(15)が前記固定プレート(2)との境界部分に設けてなる凹部である請求項１又は２に記載される歯科技工用作業模型。
【請求項４】
前記土台(1)が位置決マーク(17)を一体的に成形して設けてなる請求項１ないし３のいずれかに記載される歯科技工用作業模型。
【請求項５】
前記固定プレート(2)が、隣接する位置決マーク(17)の間に２本のダウエルピン(3)を接近して固定してなる請求項１ないし４のいずれかに記載される歯科技工用作業模型。
【請求項６】
前記位置決マーク(17)が、前記固定プレート(2)との境界面からダウエルピン(3)の方向に伸びるように設けられてなる請求項１ないし５のいずれかに記載される歯科技工用作業模型。
【請求項７】
前記ピンマーク(15)の間に、隣接するピンマーク（15）の中央にメイン位置決マーク(17A)が設けられ、さらにメイン位置決マーク(17A)の両側にサブ位置決マーク(17B)が設けられて、サブ位置決マーク(17B)をメイン位置決マーク(17A)に対して平行な姿勢としている請求項１ないし６のいずれかに記載される歯科技工用作業模型。
【請求項８】
歯科技工用作業模型が、全顎の歯科技工用作業模型(200)である請求項１ないし７のいずれかに記載される歯科技工用作業模型。
【請求項９】
前記位置決マーク(17)が、全顎の土台(1)の中心線を示す正中マーク(17X)を備える請求項８に記載される歯科技工用作業模型。
【発明の詳細な説明】
【技術分野】
【０００１】
この発明は、歯科補綴物等を製作する場合に用いる歯科技工用作業模型に関する。
【背景技術】
【０００２】
本発明者は、能率よく作業模型を製作するために、図１に示すプラスチック製の土台を開発した。（特許文献１参照） 
図１の作業模型は、上面に患者の歯形模型９４を固定する固定プレート９２を土台９１に連結している。固定プレート９２を土台９１の定位置に連結するために、固定プレート９２の下面にダウエルピン９３を固定している。土台９１はプラスチック製で、ダウエルピン９３を脱着できるように挿入する連結穴９５を設けている。図１の作業模型は、固定プレート９２のダウエルピン９３を土台９１の連結穴９５に挿入して土台９１の定位置に連結できる。
【先行技術文献】
【特許文献】
【０００３】
【特許文献１】特開２００９−１００８８０号公報
【発明の概要】
【発明が解決しようとする課題】
【０００４】
さらに、図１の作業模型は、土台９１の上面であって、ダウエルピン９３の両側に凹部９６Ａを設けている。凹部９６Ａは、連結穴９５の両側にあって、固定プレート９２を土台９１に連結して、見えないダウエルピン９３の位置を示すピンマーク９６としている。この土台９１は、ピンマーク９６でダウエルピン９３の位置を確認しながら、固定プレート９２の上に歯形模型９４を固定する。とくに、歯形模型９４から切り離される分割模型８０の中央部にダウエルピン９３が位置するように、固定プレート９２の上に歯形模型９４を固定する。固定プレート９２に固定された歯形模型９４は、図の破線で示すように、歯冠補綴物８１の両側の切断ライン８３で切断されて、分割模型８０が切り離される。この状態で、分割模型８０は、下面の中央部にダウエルピン９３が配置される。
【０００５】
この土台９１は、固定プレート９２を連結する状態でダウエルピン９３の位置をピンマーク９６で表示するが、分割模型８０の中央部に正確にダウエルピン９３を配置するように、歯形模型９４を固定プレート９２に固定するのが難しい。それは、土台９１に設けたピンマーク９６が、分割模型８０となる部分の中央部に正確に位置するように歯形模型９４を固定プレート９２に固定する必要があるからである。とくに、歯の大きさは、患者の年齢や性別、場所によっても異なり、また個人差もあるため、全ての歯形模型を固定プレートの正確な位置に固定するのが難しい。さらに、分割模型には、１本の歯に被せる単冠の歯冠補綴物を連結するものだけでなく、隣接する複数の歯に被せる連冠の歯冠補綴物を連結するものもある。このような連冠の歯冠補綴物の両側で切断される分割模型の下面に、均等にダウエルピンを配置するように、歯形模型を固定プレートの正確な位置に固定するのは、さらに難しくなる。
【０００６】
さらに、歯科技工用作業模型には、図１に示す、部分の作業模型だけでなく、全顎の作業模型もある。このような、全顎の作業模型においては、治療部分が複数箇所ある場合があり、ひとつの歯形模型から複数の分割模型を切り離すこともある。この場合においても、各々の分割模型の中央部分にダウエルピンを配置する必要があり、歯形模型を固定プレートの正確な位置に固定するのは難しい。
さらにまた、従来の作業模型では、土台を掴んで作業するときにプラスチック製の土台が滑りやすい問題点もある。
【０００７】
本発明は、さらにこの欠点を解決することを目的に開発されたものである。本発明の重要な目的は、簡単かつ容易に、しかも切り離された分割模型の中央部にダウエルピンを配置できるように歯形模型を固定プレートの正確な位置に固定できる歯科技工用作業模型を提供することにある。
さらに、本発明の他の大切な目的は、土台を掴んで作業するときに、土台が滑るのを有効に防止できる歯科技工用作業模型を提供することにある。
【課題を解決するための手段及び発明の効果】
【０００８】
本発明の歯科技工用作業模型は、歯形模型４が固定される固定プレート２と、この固定プレート２に一端を連結している複数本のダウエルピン３と、このダウエルピン３を介して脱着自在に連結されるプラスチック製の土台１とを備えている。固定プレート２は、長手方向に沿って所定の間隔でダウエルピン３を固定している。土台１は、固定プレート２に固定してなるダウエルピン３を抜き差しできる連結穴５を設けている。歯科技工用作業模型は、ダウエルピン３を連結穴５に挿入して、固定プレート２を土台１の定位置に連結している。さらに、歯科技工用作業模型は、土台１の側面に、ダウエルピン３の位置を示すピンマーク１５を有すると共に、このピンマーク１５の間に、固定プレート２に固定される歯形模型４を位置決めする位置決マーク１７を設けると共に、この位置決マーク１７を隣接するピンマーク１５の中央に配置して、さらにこの位置決マーク１７をダウエルピン３の方向に伸びる凸条としている。
【０００９】
以上の歯科技工用作業模型は、簡単かつ容易に、しかも切り離した分割模型の中央部にダウエルピンを配置できるように歯形模型を切り離しできる特徴がある。それは、ピンマークの間に設けている位置決マークで歯形模型を位置決めしながら固定プレートに固定するからである。この歯科技工用作業模型は、固定プレートに固定される歯形模型を、ダウエルピンの両側に位置する位置決マークで位置決めするので、簡単かつ容易に、しかも、切り離された分割模型の中央部に正確にダウエルピンを配置しながら、歯形模型を固定プレートの正確な位置に固定できる。
さらに、本発明の歯科技工用作業模型は、土台の位置決マークをダウエルピンの方向に伸びる凸条として設けているので、土台を滑らないように掴んで、安全にしかも能率よく作業できる特徴もある。
【００１０】
本発明の歯科技工用作業模型は、位置決マーク１７を土台１の対向する両側面に設けることができる。
以上の歯科技工用作業模型は、土台の対向位置に凸条の位置決マークを設けているので、両側の位置決マークに沿って歯形模型をより正確に位置決めして、分割模型の中央部にダウエルピンを配置できる。
【００１１】
本発明の歯科技工用作業模型は、ピンマーク１５を、土台１との境界面に設けてなる凹部とすることができる。
【００１２】
本発明の歯科技工用作業模型は、土台１が位置決マーク１７を一体的に成形して設けることができる。
以上の歯科技工用作業模型は、凸条の位置決マークを設けている土台を安価に多量生産でき、しかも位置決マークを正確な位置に配置できる特徴がある。
【００１３】
本発明の歯科技工用作業模型は、固定プレート２が、隣接する位置決マーク１７の間に２本のダウエルピン３を接近して固定することができる。
以上の歯科技工用作業模型は、切り離された分割模型を、２本のダウエルピンでもって、土台の正確な位置に安定して連結できる特徴がある。
【００１４】
本発明の歯科技工用作業模型は、位置決マーク１７を、固定プレート２との境界面からダウエルピン３の方向に伸びるように設けることができる。
以上の歯科技工用作業模型は、位置決マークを長い凸条として、位置をわかりやすく、また、土台を、よりスリップしないで掴むことができる特徴がある。
【００１５】
本発明の歯科技工用作業模型は、隣接するピンマーク１５の中央にメイン位置決マーク１７Ａを設け、さらにメイン位置決マーク１７Ａの両側にサブ位置決マーク１７Ｂを設けて、サブ位置決マーク１７Ｂをメイン位置決マーク１７Ａに対して平行な姿勢とすることができる。
以上の歯科技工用作業模型は、複数の位置決マークにより、歯形模型の固定位置をより正確に特定できる。さらに、土台に設ける位置決マークの数を多くすることで、土台の滑り止めとしての効果を向上できる。
【００１６】
本発明の歯科技工用作業模型は、全顎の歯科技工用作業模型２００とすることができる。
以上の歯科技工用作業模型は、全顎の歯形模型を、位置決マークで位置決めしながら、簡単かつ容易に、固定プレートの正確な位置に配置できる。
【００１７】
本発明の歯科技工用作業模型は、位置決マーク１７が、全顎の土台１の中心線を示す正中マーク１７Ｘを備えることができる。
以上の歯科技工用作業模型は、全顎の土台の中心線を正中マークで示しているので、歯形模型の中心を、この正中マークに位置決めしながら固定して、土台の中心に正しく配置できる。この歯科技工用作業模型は、歯形模型の左右の位置ずれを少なくしながら、外観を良くできる特徴がある。
【図面の簡単な説明】
【００１８】
【図１】本発明者が先に開発した歯科技工用作業模型の分解斜視図である。
【図２】本発明の一実施例にかかる歯科技工用作業模型の垂直縦断面図である。
【図３】図２に示す歯科技工用作業模型のＩＩＩ−ＩＩＩ線断面図である。
【図４】図２に示す歯科技工用作業模型の分解斜視図である。
【図５】図４に示す歯科技工用作業模型を下側から見た分解斜視図である。
【図６】図２に示す歯科技工用作業模型から分割模型を取り外す状態を示す分解斜視図である。
【図７】図３に示す歯科技工用作業模型から分割模型を取り外す状態を示す分解断面図である。
【図８】土台の他の一例を示す斜視図である。
【図９】土台の他の一例を示す斜視図である。
【図１０】固定プレートを製作する一例を示す斜視図である。
【図１１】固定プレートに歯形模型を固定する一例を示す側面図である。
【図１２】固定プレートに歯形模型を固定する他の一例を示す側面図である。
【図１３】固定プレートに歯形模型を固定する他の一例を示す側面図である。
【図１４】本発明の他の実施例にかかる歯科技工用作業模型の垂直断面図であって、図１５のＸＩＶ−ＸＩＶ線断面に相当する図である。
【図１５】図１４に示す歯科技工用作業模型の分解斜視図である。
【図１６】図１５に示す土台の背面斜視図である。
【図１７】固定プレートに歯形模型を固定する一例を示す側面図である。
【図１８】固定プレートに歯形模型を固定する他の一例を示す側面図である。
【発明を実施するための形態】
【００１９】
以下、本発明の実施例を図面に基づいて説明する。ただし、以下に示す実施例は、本発明の技術思想を具体化するための歯科技工用作業模型を例示するものであって、本発明は歯科技工用作業模型を以下のものに特定しない。
【００２０】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２１】
図２ないし図７に示す歯科技工用作業模型１００は、上面に歯形模型４が固定される固定プレート２と、この固定プレート２に一端を連結している複数本のダウエルピン３と、このダウエルピン３を介して脱着自在に連結されるプラスチック製の土台１とを備える。
【００２２】
歯形模型４は、固定プレート２の表面に接着して固定される。図の歯科技工用作業模型１００は、細長い歯形模型４を固定できるように、固定プレート２と土台１の平面形状を細長い形状としている。複数の歯牙模型４Ａを備える歯形模型４は、図２の破線で示すように、歯牙模型４Ａの境界であって、歯冠補綴物２１の両側の切断ライン２３で切断されて分割模型２０となる。切断された分割模型２０を独立して土台１に連結できるように、歯形模型４を固定する固定プレート２は、複数のダウエルピン３を介して土台１に連結される。したがって、ダウエルピン３が分割模型２０の中央部に配置されるように、歯形模型４を固定プレート２に接着して固定する。歯形模型４を固定する状態で、固定プレート２と歯形模型４とを切断して分割模型２０とする。
【００２３】
土台１は、全体をプラスチックで成形している。プラスチック製の土台１は、図２と図３の断面図に示すように、固定プレート２を連結する上面プレート１０の周囲に周壁１１を連結している形状に成形される。この土台１は、図４に示すように、その中央部に、長手方向に所定の間隔離してダウエルピン３を抜き差しできる連結穴５を設けている。図の土台１は、細長い上面プレート１０に一定の間隔で２本ずつのダウエルピン３を連結する連結穴５を設けている。図４に示す土台は、２本ずつ５列に配列されたダウエルピン３を連結できるように、１０個の連結穴５を所定の間隔で設けている。
【００２４】
さらに、土台１は、上面プレート１０の表面、すなわち固定プレート２との対向面に、固定プレート２を定位置に連結する嵌合突出部６を設けている。嵌合突出部６は凸条で、連結穴５の両側に沿って上面プレート１０の長手方向に伸びるように設けている。この嵌合突出部６は、固定プレート２に設けた嵌合凹部７に嵌入されて、固定プレート２を定位置に配置する。図４に示す土台１は、一方の嵌合突出部６を直線状として、他方の嵌合突出部６を湾曲線状としている。このように、対向する２条の嵌合突出部６を異なる形状とする土台１は、上面プレート１０に連結される固定プレート２の向きを特定しながら、正しい方向に連結できる特徴がある。ただ、対向する２条の嵌合突出部は、同じ形状とすることもできる。
【００２５】
さらに、図の土台１は、上面プレート１０の一方の端部の中央部の表面に、位置決め凸部８を設けている。この位置決め凸部８は、固定プレート２に設けた位置決め凹部９に案内されて、固定プレート２を正しい向きに特定しながら連結する。位置決め凸部８は、固定プレート２に設けた位置決め凹部９にスムーズに挿入できるように、上面を中央凸の湾曲面としている。
【００２６】
以上の土台１は、ダウエルピン３が連結穴５に挿入されると共に、２条の嵌合突出部６が固定プレート２の嵌合凹部７に嵌入され、また、位置決め凸部８が位置決め凹部９に案内されて、固定プレート２が脱着できるように連結される。
【００２７】
連結穴５は、ダウエルピン３を隙間なく挿入できる形状であって、各々のダウエルピン３を挿入できる位置に設けている。ダウエルピン３は、固定プレート２に直交する姿勢で固定しているので、連結穴５は、上面プレート１０に直交して土台１に設けている。土台１は、図５の底面から見た分解斜視図に示すように、上面プレート１０の内面に突出するように筒体１２を一体的に成形して設けて、この筒体１２の内側に２本の連結穴５を並んで設けている。したがって、土台１は、連結穴５を設ける部分に筒体１２を突出して設けている。筒体１２は、土台１に一体的に成形される補強リブ１３に連結されて、補強リブ１３で補強される。図の土台１は、横補強リブ１３Ａで筒体１２を周壁１１の内面に連結して、縦補強リブ１３Ｂで隣接する筒体１２を連結している。この土台１は、筒体１２を変形しないように上面プレート１０に連結する。したがって、筒体１２の連結穴５に挿入されるダウエルピン３をしっかりと定位置に連結する。
【００２８】
さらに、連結穴５は、図２、図３、及び図７に示すように、筒体１２を上下に貫通して両端を開口している。この連結穴５は、内部にゴミ等が侵入しても通過させて排出できるので、内部に侵入したゴミ等が除去できなくなるのを確実に防止できる。さらに、図の土台１は、ダウエルピン３の全長を連結穴５の全長よりも長くして、挿入されるダウエルピン３の先端を、下端の開口部から突出させる状態で連結している。連結穴５の下端から先端が突出するダウエルピン３は、突出部を下側から押し上げて、連結穴５から楽に取り外しできる特徴もある。
【００２９】
連結穴５は、その内形をダウエルピン３の外形に沿う形状としている。図のダウエルピン３は、先端に向かって次第に細くなる先細りテーパー状としているので、図の連結穴５は、先細りテーパー状に成形している。この形状の連結穴５は、ダウエルピン３を連結穴５の内面に密着する状態で、スムーズに抜き差しできる。
【００３０】
さらに、図４の土台１は、上面の中央部に、固定プレート２と同じ外形の段差凸部１４を設けて、この段差凸部１４に嵌合突出部６と位置決め凸部８を設けている。この構造の土台１は、固定プレート２を歯牙模型４Ａの間でさらに簡単に切断できる。それは、土台１の上面から突出する段差凸部１４を、固定プレート２の下部の一部と同じようにして切断できるからである。したがって、段差凸部１４は、好ましくは固定プレート２の外形に等しい外形に成形される。ただ、段差凸部の外形は、固定プレートの外形よりも大きく、あるいは小さく、あるいはまた異なる形状とすることもできる。
【００３１】
さらに、図４の土台１は、上面の外周縁部であって、段差凸部１４の外側に、ダウエルピン３の位置を示すピンマーク１５を設けている。図に示すピンマーク１５は、上面の外周縁を切り欠いた凹部である。図に示す土台１は、両側縁の対向位置にピンマーク１５を設けている。さらに、ピンマーク１５は、段差凸部１４の外側に設けられて、固定プレート２との境界部分に設けている。図の土台１は、複数のダウエルピン３を５列に配列しているので、段差凸部１４の両側に、各々５個ずつのピンマーク１５を設けている。図の土台１は、凹部を成形してピンマーク１５としているが、ピンマークは、凸部や凸条、あるいは溝とすることもできる。
【００３２】
さらに、図４の土台１は、対向する両側面であって、隣接するピンマーク１５の間に位置決マーク１７を設けている。図に示す土台１は、隣接するピンマーク１５の中央に位置して位置決マーク１７を設けている。これらの位置決マーク１７は、固定プレート２の上に歯形模型４を固定するときに、歯形模型４を正確に位置決めするために設けている。この位置決マーク１７は、ダウエルピン３の方向に伸びる凸条であって、プラスチック製の土台１を成形する工程で一体的に成形して設けている。図に示す位置決マーク１７は、凸条の横断面形状を、中央凸の半円形状としている。ただ、位置決マークは、凸条の横断面形状を、半楕円形状や多角形状とすることもできる。図４の土台１は、固定プレート２との境界面（図において上部）から、ダウエルピン３の方向に伸びるように位置決マーク１７の凸条を設けている。図の土台１は、全体の高さの約１／２の長さの凸条を設けて位置決マーク１７としている。凸条の位置決マーク１７は、土台全体の高さの１／４ないし土台全体の高さと等しい長さとして、土台１の側面に設けられる。さらに、位置決マーク１７の凸条は、その高さと幅を好ましくは、約１ｍｍとするが、０．５ｍｍ〜３ｍｍとすることもできる。凸条の位置決マークは、高くして、より土台１を掴むときに滑り難くできる。
【００３３】
図の土台１は、両側に各々５個ずつのピンマーク１５を設けているので、隣接するピンマーク１５の中央に位置して、各々４個ずつの位置決マーク１７を両側の周壁１１に設けている。ただ、土台に設けるピンマークと位置決マークの数は、土台の全長や、土台に連結するダウエルピンの数に応じて種々に変更することができる。
【００３４】
さらに、土台１は、図８と図９に示すように、隣接するピンマーク１５の間に、複数の位置決マーク１７を設けることもできる。図８に示す土台１は、隣接するピンマーク１５の間に、２列の位置決マーク１７を設けている。隣接するピンマーク１５の間に設けられる２列の位置決マーク１７は、ピンマーク１５に対して左右対称となるように設けている。この土台１は、ピンマーク１５の両側に設けられる２列ずつの位置決マーク１７でもって、固定プレート２に固定される歯形模型４を正確に位置決めする。
【００３５】
さらに、図９に示す土台１は、隣接するピンマーク１５の間に、３列の位置決マーク１７を設けている。３列の位置決マーク１７は、隣接するピンマーク１５の中間に設けられるメイン位置決マーク１７Ａと、このメイン位置決マーク１７Ａの両側に設けられるサブ位置決マーク１７Ｂとからなる。図に示すサブ位置決マーク１７Ｂは、メイン位置決マーク１７Ａに対して平行な姿勢としている。この土台１は、凸条である位置決マーク１７の長さ、幅、高さ、及び、設ける上下位置等を変更して、メイン位置決マーク１７Ａとサブ位置決マーク１７Ｂとを区別することができる。図に示す土台１は、メイン位置決マーク１７Ａを、固定プレート２との境界面からダウエルピン３の方向に伸びるように設けて、その長さを土台全体の高さの約１／２の長さとしている。また、メイン位置決マーク１７Ａの両側に設けるサブ位置決マーク１７Ｂは、その上端位置をメイン位置決マーク１７Ａの上端位置よりも下方に位置させて土台１の下部に設けており、その長さを土台全体の高さの約２／３の長さとしている。さらに、図に示すサブ位置決マーク１７Ｂは、凸条の横断面形状を四角形状とすると共に、その幅と高さをメイン位置決マーク１７Ａよりも小さくしている。この土台１は、ピンマーク１５の両側に設けられるメイン位置決マーク１７Ａでもって、固定プレート２に固定される歯形模型４を位置決めしながら、さらに、分割模型となる部分を、サブ位置決マーク１７Ｂでより正確に位置決めできる。
【００３６】
さらに、メイン位置決マークとサブ位置決マークとからなる位置決マークを備える土台は、固定プレートに固定される歯形模型の位置をメイン位置決マークで位置決めできるので、サブ位置決マークの位置や数、間隔、向き、及びその形状等を種々に変更することもできる。たとえば、サブ位置決マークは、ピンマークの位置に設けることもでき、また、メイン位置決マークに対して傾斜する姿勢とすることもできる。
【００３７】
以上のように、隣接するピンマーク１５の間に、複数の位置決マーク１７を設ける土台１は、位置決マーク１７の数を多くすることで、土台１の滑り止め効果を向上できる。とくに、図９に示す土台１は、メイン位置決マーク１７Ａとサブ位置決マーク１７Ｂの形状を異なる形状とすることで、指先へのフィット感を異なる感触とすると共に、土台１の側面のより広い領域に位置決マーク１７を設けることで、土台１の滑り止め効果をさらに向上できる。
【００３８】
固定プレート２は、全体を石膏で製作して、特定の決められた位置にダウエルピン３を固定している。ただ、固定プレートは、全体をプラスチックで製作することもできる。プラスチック製の固定プレートは、石膏粉などの無機粉末を充填することができる。無機粉末を充填してなるプラスチックで製作される固定プレートは、寸法精度と強度を高めながら、分割模型を製作するときに、切断を容易にできる。図の固定プレート２は、上面を平面状として、この面に歯形模型４を固定している。図の固定プレート２は、所定の厚さを有する板状で、土台１の段差凸部１４とほぼ等しい外形としている。
【００３９】
固定プレート２は、図５に示すように、その中央部に、長手方向に沿って所定の間隔離して複数のダウエルピン３を固定している。図の固定プレート２は、１０本のダウエルピン３を、２本ずつ５列に配列して一定の間隔で固定している。
【００４０】
さらに、固定プレート２は、図５に示すように、その下面であって、土台１との対向面に、土台１の嵌合突出部６を嵌入する嵌合凹部７を設けている。図に示す嵌合凹部７は、凸条である嵌合突出部６を案内する縦溝で、嵌合突出部６を嵌入できるように、嵌合突出部６と対向する位置に設けている。図に示す嵌合凹部７は、連結穴５の両側に沿って固定プレート２の長手方向に伸びるように設けている。図に示す土台１は、一方の嵌合突出部６を直線状として、他方の嵌合突出部６を湾曲線状としているので、これらの嵌合突出部６を案内する溝状の嵌合凹部７は、一方を直線状として、他方を湾曲線状としている。
【００４１】
さらに、図５の固定プレート２は、一方の端部であって、土台１との対向面に、上面プレート１０に設けた位置決め凸部８を案内する位置決め凹部９を設けている。位置決め凹部９は、上面プレート１０に設けた位置決め凸部８を嵌入できる形状としている。図の位置決め凹部９は、中央凸の位置決め凸部８を嵌入できるように、中央凹の形状としている。
【００４２】
以上の固定プレート２は、各々のダウエルピン３を連結穴５に挿入する状態で、嵌合凹部７に嵌合突出部６が嵌入され、また、位置決め凹部９に位置決め凸部８が嵌入されて、土台１に脱着できるように連結される。とくに、嵌合突出部６と嵌合凹部７を対向面の側縁から離して設ける構造は、嵌合突出部６の外周面を嵌合凹部７の内周面に密着させてしっかりと連結できる。
【００４３】
ダウエルピン３は、固定プレート２に直交する姿勢であって、上端を固定プレート２に固定している。各々のダウエルピン３は、所定の間隔で、互いに平行な姿勢で固定プレート２に固定されている。ダウエルピン３は、図２のと図３に示すように、上端部を固定プレート２に埋設して、ピン本体を固定プレート２の下面から突出する状態で固定している。固定プレート２に埋設されるダウエルピン３は、図２と図３に示すように、上端部に鍔１６を設けている。このダウエルピン３は、鍔１６を固定プレート２に埋設して、抜けない構造で固定プレート２に固定される。
【００４４】
ダウエルピン３は、金属ピンである。ただ、ダウエルピンは、プラスチックを所定の形状に成形してなるプラスチックピンとすることもできる。さらに、ダウエルピン３は、連結穴５にスムーズに挿入できるように、先端を細くする先細りテーパー状としている。さらに、ダウエルピンは、断面図形状を非円形とすることもできる。
【００４５】
ダウエルピン３を所定の位置に固定する固定プレート２は、図示しないが、ダウエルピンを所定の位置に固定してなる金型に石膏またはプラスチックを充填して、ダウエルピンの鍔を石膏またはプラスチックに埋設して製作される。ただ、固定プレートは、土台を成形金型に併用して製作することもできる。この方法は、例えば、図１０に示すように、連結穴５にダウエルピン３を挿入した土台１の段差凸部１４の外周縁に沿って、固定プレート２を成形する石膏またはプラスチックを充填して成形するための成形周壁１９を設けることで実現できる。この成形周壁１９は、土台１の段差凸部１４の外周面に沿って、筒状のシート材を被着して設けることができ、あるいは、土台を成形するプラスチックで、一体成形して設けることもできる。土台の段差凸部に連結される成形周壁は、段差凸部との境界に切り離し部を設けて、固定プレートを成形後に除去することもできる。
【００４６】
以上の構造の歯科技工用作業模型１００は、固定プレート２のダウエルピン３を土台１の連結穴５に挿入し、さらに、土台１の嵌合突出部６を固定プレート２の嵌合凹部７に嵌入し、さらに、土台１の位置決め凸部８を固定プレート２の位置決め凹部９に案内して、固定プレート２を土台１の定位置に連結する。すなわち、図の歯科技工用作業模型１００は、２本ずつを複数列に並べたダウエルピン３と連結穴５の連結構造と、土台１と固定プレート２との対向面に設けた嵌合突出部６と嵌合凹部７の嵌着構造と、位置決め凸部８と位置決め凹部９の連結構造の相乗効果で、固定プレート２を土台１の定位置にスムーズに案内しながら、固定プレート２と土台１との位置ずれを防止して正確な位置にしっかりと連結できる。ただ、歯科技工用作業模型は、必ずしも土台と固定プレートの対向面に、位置決め凸部と位置決め凹部を設ける必要はない。
【００４７】
さらに、歯科技工用作業模型１００は、土台１に連結された固定プレート２の上面に、歯形模型４を位置決めしながら固定する。歯形模型４は、例えば、分割模型２０を切り離す切断ライン２３の位置が、対向する位置決マーク１７に対して左右対称の位置となるように位置決めされる。図１１に示す歯形模型４は、単冠の歯冠補綴物２１（図においてクロスハッチングで表示）を備えているので、この歯冠補綴物２１が連結される分割模型２０には、１列のダウエルピン３が配置される。したがって、この歯形模型４は、歯冠補綴物２１の両側の切断ライン２３が、歯冠補綴物２１の真下に配置されるダウエルピン３の両側に位置する２つの位置決マーク１７（図において矢印Ａで表示）に対して左右対称の位置となるように位置決めされながら固定プレート２に固定される。このようにして、固定プレート２に固定された歯形模型４は、歯冠補綴物２１の両側の切断ライン２３で切断された分割模型２０の中央部に１列のダウエルピン３が配置される。
【００４８】
さらに、図１２は、連冠の歯冠補綴物２１（図においてクロスハッチングで表示）を備える歯形模型４を固定プレート２に位置決めしながら固定する一例を示している。この図の歯冠補綴物２１は、３本の義歯２４を連結してひとつの歯冠補綴物２１としており、この歯冠補綴物２１が連結される分割模型２０には、３列のダウエルピン３を配置している。したがって、この歯形模型４は、歯冠補綴物２１の両側の切断ライン２３が、歯冠補綴物２１の真下に配置される３列のダウエルピン３の両側に位置する２つの位置決マーク１７（図において矢印Ｂで表示）と、中間に位置する２つの位置決マーク１７（図において矢印Ｃで表示）に対して左右対称の位置となるように位置決めしながら固定プレート２に固定する。このようにして、固定プレート２に固定された歯形模型４は、切断ライン２３で切り離される分割模型２０に、３列のダウエルピン３が配置される。このとき、３列のダウエルピン３は、３本の義歯２４の真下には配置されないが、３本の義歯２４からなる連冠の歯冠補綴物２１に均等に配置される。
【００４９】
ただ、３本の義歯２４からなる連冠の歯冠補綴物２１が連結される分割模型２０は、図１３に示すように、２列のダウエルピン３を配置することもできる。この場合、歯形模型４は、歯冠補綴物２１の両側の切断ライン２３が、歯冠補綴物２１の真下に配置される２列のダウエルピン３の両側に位置する２つの位置決マーク１７（図において矢印Ｄで表示）と、中間に位置する１つの位置決マーク１７（図において矢印Ｅで表示）に対して左右対称の位置となるように位置決めしながら固定プレート２に固定する。このようにして、固定プレート２に固定された歯形模型４は、切断ライン２３で切り離される分割模型２０に、２列のダウエルピン３が配置される。このとき、２列のダウエルピン３は、３本の義歯２４からなる連冠の歯冠補綴物２１の中央部に位置して、均等に配置される。
【００５０】
さらに、図８に示すように、隣接するピンマーク１５の間に２つの位置決マーク１７を備える土台１は、分割模型を切り離す切断ラインの間隔に応じて、位置決めマーク１７を選択することができる。たとえば、小さな分割模型であって、切り離す切断ラインの間隔が狭い歯形模型を位置決めする場合には、歯冠補綴物の両側の切断ラインを、ピンマーク１５の両側に位置する位置決マーク１７のうち、ピンパーク１５に近い側の位置決マーク１７に対して左右対称の位置となるように位置決めしながら固定する。反対に、大きな分割模型であって、切り離す切断ラインの間隔が広い歯形模型を位置決めする場合には、歯冠補綴物の両側の切断ラインを、ピンマークの両側に位置する位置決マークのうち、ピンパークから離れた側の位置決マーク１７に対して左右対称の位置となるように位置決めしながら固定する。
【００５１】
さらに、図９に示すように、隣接するピンマーク１５の間にメイン位置決マーク１７Ａとサブ位置マーク１７Ｂを備える土台１は、分割模型を切り離す切断ラインの位置をメイン位置決マーク１７Ａで特定しながら、さらに、サブ位置決めマーク１７Ｂでもって、より細かく位置決めすることができる。たとえば、小さな分割模型であって、切り離す切断ラインの間隔が狭い歯形模型を位置決めする場合には、メイン位置決マーク１７Ａよりピンパーク１５に近い、すなわち、メイン位置決マーク１７Ａより内側のサブ位置決マーク１７Ｂに対して位置決めし、反対に、大きな分割模型であって、切り離す切断ラインの間隔が広い歯形模型を位置決めする場合には、メイン位置決マーク１７Ａより外側のサブ位置決マーク１７Ｂに対して位置決めすることができる。
【００５２】
以上のように、本発明の歯科技工用作業模型は、土台１の側面に設けた位置決マーク１７で位置決めしながら、歯形模型４を固定プレート２の最適な位置に正確に固定でき、切断ライン２３で切り離される分割模型２０に配置されるダウエルピン３を理想的な位置に配置できる。
【００５３】
以上の実施例の歯科技工用作業模型は、部分の歯科技工用作業模型を示している。とくに、図に示す部分の歯科技工用作業模型は、臼歯部の歯科技工用作業模型を示している。したがって、これらの臼歯部の歯科技工用作業模型は、土台１、固定プレート２及び歯形模型４を、臼歯部に沿う形状としている。ただ、部分の歯科技工用作業模型は、前歯部の歯科技工用作業模型とすることもできる。前歯部の歯科技工用作業模型は、図示しないが、土台、固定プレート及び歯形模型を前歯部に沿う形状として製作される。
【００５４】
さらに、本発明の歯科技工用作業模型は、全顎の歯科技工用作業模型とすることもできる。全顎の歯科技工用作業模型は、土台、固定プレート及び歯形模型を全顎に沿う形状として製作される。全顎の歯科技工用作業模型の一例を図１４と図１５に示し、この歯科技工用作業模型の土台の背面斜視図を図１６に示している。これらの図に示す全顎の土台１は、全体の形状を馬蹄形としており、その上面に土台１に沿う馬蹄形の固定プレート２を脱着自在に連結している。固定プレート２には全顎の歯形模型４を固定している。なお、これらの図において、前述の実施例と同じ構成要素については、同符号を付してその詳細な説明を省略している。
【００５５】
図１５と図１６に示す全顎の土台１は、固定プレート２を連結する馬蹄形の上面プレート１０の周囲に周壁１１を連結してなる形状に、プラスチックで成形している。図の土台１は、湾曲する内側の周壁１１を半楕円形状の連結プレート１８で連結している。さらに、馬蹄形の土台１は、上面プレート１０から突出して、固定プレート２と同じ外形の段差凸部１４を設けている。この土台１は、段差凸部１４の上面を固定プレート２との対向面として固定プレート２を連結している。土台１は、湾曲する段差凸部１４の長手方向に沿って中央部に所定の間隔離して、ダウエルピン３を抜き差しできる連結穴５を設けている。図に示す土台は、２本ずつ複数列に配列されたダウエルピン３を連結できるように、複数の連結穴５を所定の間隔で設けている。図に示す土台１は、複数の連結穴５の間隔を、前歯部から臼歯部に向かって次第に大きくしている。さらに、図に示す土台１は、湾曲する上面プレート１０の外側に沿って配置される複数の連結穴５の開口面積を等しくすると共に、上面プレート１０の内側に沿って配置される複数の連結穴５の開口面積を、臼歯部から前歯部に向かって次第に小さくしている。この土台１は、図示しないが、固定プレート２に固定される複数のダウエルピン３を、土台１に設けた複数の連結穴５と対向する間隔と形状として、固定プレート２を土台１にしっかりと連結できる。ただ、複数のダウエルピンは、全てを同じ太さとして、土台に設ける連結穴を全て同じ開口面積とすることもできる。          
【００５６】
さらに、図１４ないし図１６に示す土台１は、湾曲する段差凸部１４の両側、すなわち、内側縁と外側縁に沿って、嵌合突出部６を設けている。嵌合突出部６は湾曲する凸条で、連結穴５の両側に位置して、段差凸部１４の側縁から内側に離して設けている。この嵌合突出部６は、固定プレート２に設けた嵌合凹部７に嵌入されて、固定プレート２を定位置に配置する。
【００５７】
さらに、図の土台１は、上面の外周縁部と内周縁部であって、湾曲する段差凸部１４の外側と内側の対向位置に、ダウエルピン３の位置を示すピンマーク１５を設けている。図に示す土台１は、段差凸部１４の外側に設けたピンマーク１５を、上面の外周縁を切り欠いた凹部とし、段差凸部１４の内側に設けたピンマーク１５を、大きさの異なる凸部としている。図の土台１は、連結穴５と同数のピンマーク１５を、所定の間隔で設けている。図の土台１は、前歯部から臼歯部に向かって連結穴５の間隔を大きくしているので、隣接するピンマーク１５の間隔も、前歯部から臼歯部に向かって次第に大きくしている。このように、ピンマーク１５の間隔を、前歯部から臼歯部に向かって次第に大きくする土台１は、ダウエルピン３を、全顎の歯形模型４の各々の歯牙模型４Ａの下方に位置するように配置できる。
【００５８】
さらに、図１５と図１６の土台１は、隣接するピンマーク１５の間に位置決マーク１７を設けている。位置決マーク１７は、隣接するピンマーク１５の中央に位置して設けている。これらの位置決マーク１７は、固定プレート２の上に歯形模型４を固定するときに、歯形模型４を正確に位置決めするために設けている。図の土台１は、対向する両側面、すなわち、湾曲する土台１の外周面と内周面に、複数列の位置決マーク１７を設けている。この位置決マーク１７は、ダウエルピン３の方向に伸びる凸条であって、プラスチック製の土台１を成形する工程で一体的に成形して設けている。図１５と図１６の土台１は、固定プレート２との境界面（図において上部）から、ダウエルピン３の方向に伸びるように位置決マーク１７の凸条を設けている。図の土台１は、全体の高さの約１／２の長さの凸条を設けて位置決マーク１７としている。さらに、位置決マーク１７の凸条は、その高さと幅を好ましくは、約１ｍｍとするが、０．５ｍｍ〜３ｍｍとすることもできる。土台１の外周面に設けられる凸条の位置決マークは、高くして、より土台１を掴むときに滑り難くできる。
【００５９】
図の土台１は、隣接するピンマーク１５の間隔を、前歯部から臼歯部に向かって大きくしているので、隣接するピンマーク１５の間に設ける位置決マーク１７の間隔も、前歯部から臼歯部に向かって次第に大きくしている。このように、位置決マーク１７の間隔を、前歯部から臼歯部に向かって次第に大きくする土台１は、固定プレート２の上面に固定される全顎の歯形模型４の各々の歯牙模型４Ａを、下方に配置されたダウエルピン３に対して最適な位置に配置できる。
【００６０】
さらに、図に示す全顎の土台１は、外周面に設けられる複数の位置決マーク１７のうち、土台１の中心線上に配置される位置決マーク１７を正中マーク１７Ｘとしている。この正中マーク１７Ｘは、全顎の土台１の中心線を示すマークであって、歯形模型４の中心を、この正中マーク１７Ｘに位置決めしながら、固定プレート２に固定する。このように、全顎の土台１の中心に正しく配置できる歯形模型４は、左右の位置ずれを少なくしながら、外観良く固定プレート２に固定できる特徴がある。
【００６１】
さらに、図示しないが、全顎の土台も、前述の部分の土台と同様に、隣接するピンマークの間に、複数の位置決マークを設けることができる。ただ、全顎の土台は、隣接するピンマークの間隔を、前歯部から臼歯部に向かって次第に大きくしているので、隣接するピンマークの間に設ける複数の位置決マークの間隔も、前歯部から臼歯部に向かって所定の割合で大きくすることができる。さらに、隣接するピンマークの間に、メイン位置決マークとサブ位置決マークからなる複数の位置決マークを設ける全顎の土台においても、隣接するピンマークの間に設けるメイン位置決マークの間隔を、前歯部から臼歯部に向かって次第に大きくして、歯形模型を正確に位置決めできる。
【００６２】
以上の構造の全顎の歯科技工用作業模型２００は、図１４に示すように、固定プレート２のダウエルピン３を土台１の連結穴５に挿入し、さらに、段差凸部１４の外側と内側に設けた嵌合突出部６を固定プレート２の嵌合凹部７に嵌入して、固定プレート２を土台１の定位置に連結する。この歯科技工用作業模型２００は、全顎の歯形模型４に沿う形状の固定プレート２を、複数のダウエルピン３と連結穴５の連結構造と、土台１と固定プレート２の対向面に設けた嵌合突出部６と嵌合凹部７の嵌着構造６とで、土台１の定位置にしっかりと連結できる。
【００６３】
さらに、全顎の歯科技工用作業模型２００は、土台１に連結された固定プレート２の上面に、全顎の歯形模型４を位置決めしながら固定する。歯形模型４は、図１７と図１８に示すように、馬蹄形の湾曲線に沿って配列される複数の隣接歯の境界位置が、土台１の周壁１１に設けた位置決マーク１７にバランス良く対向するように位置決めされる。図１７に示す歯形模型４は、各々の歯牙模型４Ａが大きく、大きな顎である歯形模型４を固定プレート２に配置する状態を示している。この図に示すように、大きな顎を有する歯形模型４は、固定プレート２の外周部に接近して固定することにより、土台１に設けた位置決マーク１７に対してバランス良く対向する状態で固定できる。これに対して、図１８に示すように、小さな顎を有する歯形模型４は、固定プレート２の内周部に接近して固定することにより、土台１に設けた位置決マーク１７に対してバランス良く対向する状態で固定できる。これにより、図に示すように、全顎の歯形模型４が、複数の歯冠補綴物２１を備える場合においても、各々の歯冠補綴物２１が連結される分割模型２０に対して理想的な状態でダウエルピン３を配置しながら、全顎の歯形模型４を固定プレート２の正確な位置に配置できる。
【００６４】
以上の歯科技工用作業模型１００、２００は、以下のようにして製造される。 
（１）土台１をプラスチックで成形する。土台１は、金型に溶融プラスチックを充填して、所定の形状に成形される。土台１を成形するプラスチックは、たとえば、ポリエチレン樹脂、ポリプロピレン樹脂、ナイロン樹脂、ウレタン樹脂等である。 
（２）固定プレート２を成形する。固定プレート２は、石膏またはプラスチックで製作する。固定プレートは、図示しないが、ダウエルピンを所定の位置に配置した金型に、固定プレートを成形する石膏泥または溶融プラスチックを注入して製作し、あるいは、図１０に示すように、連結穴５にダウエルピン３を挿入した土台１の段差凸部１４の外周に沿って設けた成形周壁１９の内側に、固定プレート２を成形する石膏泥または溶融プラスチックを充填して製作する。
石膏泥またはプラスチックを硬化させた後、ダウエルピン３が埋設された固定プレート２を金型あるいは土台１から脱型する。 
（３）固定プレート２の上面に歯形模型４を接着して固定する。部分の歯形模型４は、図１１ないし図１３に示すように、分割模型２０を切り離す切断ライン２３の位置が、対向する位置決マーク１７に対して左右対称の位置となるように位置決めしながら固定プレート２に固定する。さらに、全顎の歯形模型４は、図１７と図１８に示すように、馬蹄形の湾曲線に沿って配列される複数の隣接歯の境界位置が、土台１の周壁１１に設けた位置決マーク１７にバランス良く対向するように位置決めしながら固定プレート２に固定する。ただ、図１０に示すように、成形周壁１９の内側に石膏泥または溶融プラスチックを注入して固定プレートを製作する方法は、固定プレートを成形する工程で、石膏泥または溶融プラスチックの上に歯形模型を配置して、固定プレートに歯形模型を固定することもできる。
【００６５】
以上のようにして製造される歯科技工用作業模型１００、２００は、以下のようにして種々の歯冠補綴物２１の製作に使用される。 
（１）歯科医は、患者から印象を取る前に、歯冠補綴物を設ける部分の歯を、予め削って支台歯としている。したがって、歯科技工用作業模型１００、２００の歯形模型４は、図６、図７、及び図１４に示すように、歯冠補綴物２１を製作する部分に、支台歯模型２２が形成されている。 
（２）技工士は、歯科技工用作業模型１００、２００の支台歯模型２２に装着される歯冠補綴物２１をレジンや金属で作成するが、このときに支台歯模型２２の両側にある歯牙模型４Ａが邪魔になる。両側の歯牙模型４Ａが邪魔にならないようにするために分割模型２０を作る。分割模型４は、歯冠補綴物２１を製作する部分を隣接部分から分離できるようにしたものである。 
（３）分割模型２０は、図２、図４ないし図６、図１４、図１７、及び図１８に示すように、歯形模型４と固定プレート２とを所定の位置で切断して製作される。歯形模型４と固定プレート２は、歯冠補綴物２１を製作する部分の両側であって、ダウエルピン３の左右両側の切断ライン２３で切断される。この分割模型４は、図６と図７に示すように、ダウエルピン３を介して、土台１の定位置に脱着自在に装着される。 
（４）この状態で製作された分割模型２０を使用して、支台歯模型２２に装着される歯冠補綴物２１をレジンや金属で作成する。支台歯模型２２を土台１から分割できる分割模型２０は、隣接する歯牙模型４Ａとの境界であっても能率よく正確に加工できるので、能率よく歯冠補綴物２１が製作できる。
【符号の説明】
【００６６】
１…土台
２…固定プレート
３…ダウエルピン
４…歯形模型                  ４Ａ…歯牙模型
５…連結穴
６…嵌合突出部
７…嵌合凹部
８…位置決め凸部
９…位置決め凹部
１０…平面プレート
１１…周壁
１２…筒体
１３…補強リブ                １３Ａ…横補強リブ
１３Ｂ…縦補強リブ
１４…段差凸部
１５…ピンマーク
１６…鍔
１７…位置決マーク            １７Ａ…メイン位置決マーク
１７Ｂ…サブ位置決マーク
１７Ｘ…正中マーク
１８…連結プレート
１９…成形周壁
２０…分割模型
２１…歯冠補綴物
２２…支台歯模型
２３…切断ライン
２４…義歯
８０…分割模型
８１…歯冠補綴物
８３…切断ライン
９１…土台
９２…固定プレート
９３…ダウエルピン
９４…歯形模型
９５…連結穴
９６…ピンマーク              ９６Ａ…凹部
１００…歯科技工用作業模型
２００…歯科技工用作業模型
【図１】
0005586315.tif 000002
【図２】
0005586315.tif 000003
【図３】
0005586315.tif 000004
【図４】
0005586315.tif 000005
【図５】
0005586315.tif 000006
【図６】
0005586315.tif 000007
【図７】
0005586315.tif 000008
【図８】
0005586315.tif 000009
【図９】
0005586315.tif 000010
【図１０】
0005586315.tif 000011
【図１１】
0005586315.tif 000012
【図１２】
0005586315.tif 000013
【図１３】
0005586315.tif 000014
【図１４】
0005586315.tif 000015
【図１５】
0005586315.tif 000016
【図１６】
0005586315.tif 000017
【図１７】
0005586315.tif 000018
【図１８】
0005586315.tif 000019